(57)【特許請求の範囲】
【請求項１】
感光性記録媒体と、
前記感光性記録媒体を回転自在に収容するディスク収容部と、前記感光性記録媒体の中心と記録面とを外部に露呈させる内部開口と、内側にオフセットされて外面に形成されたシャッタ摺動面と、前記シャッタ摺動面の外方に内側にオフセットされて形成された遮光板取付面と、を有するカートリッジ本体と、
前記内部開口を閉じる閉じ位置と前記内部開口を開放する開き位置との間で移動自在とされ、前記シャッタ摺動面に取り付けられたシャッタと、
前記感光性記録媒体の中心と記録面とを外部に露呈させる外部開口を備え、前記シャッタの外方を覆って前記遮光板取付面に取り付けられた遮光板と、
を備えた感光性記録媒体用カートリッジであって、
前記シャッタが、前記シャッタ摺動面と前記遮光板との間で移動する第１シャッタ及び第２シャッタと、前記第１シャッタ及び前記第２シャッタを連接する連接部とを備え、前記第１シャッタ及び前記第２シャッタにおける前記連接部とは反対側の端部を開放端部とし、
当該感光性記録媒体用カートリッジが、更に、前記シャッタの開放端部と、前記シャッタ摺動面とにより形成されるラビリンス部を備え、前記ラビリンス部が、前記シャッタ摺動面に向けて突出させて、前記シャッタの開閉方向と平行に前記シャッタの前記開放端部に形成された少なくとも１本の突条を有するシャッタ側波型リブと、前記シャッタの前記突条に対応して前記シャッタの開閉方向と平行に前記シャッタ摺動面に形成され、前記突条に摺動自在に嵌合する少なくとも１本の凹溝を有する本体側波型リブと、からなり、前記シャッタの前記開放端部に、前記シャッタを閉じる方向に延設された延設部が形成されていることを特徴とする感光性記録媒体用カートリッジ。
【請求項２】
前記延設部のシャッタ閉じ方向の先端部は、前記シャッタが前記内部開口を開放する開き位置にあるとき、前記遮光板とオーバーラップするオーバーラップ部を備えることを特徴とする請求項１に記載の感光性記録媒体用カートリッジ。
【請求項３】
前記遮光板は、前記感光性記録媒体用カートリッジの挿入方向後方における前記外部開口の開口周縁部が切り欠かれていることを特徴とする請求項１又は２に記載の感光性記録媒体用カートリッジ。
【発明の詳細な説明】
【技術分野】
【０００１】
本発明は、感光性記録媒体用カートリッジに関し、特に、遮光性を確保しつつ、シャッタを滑らかに開閉することができる感光性記録媒体用カートリッジに関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるDVDよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。
【０００３】
また、ディスク状記録媒体を収容するカートリッジとしては、ディスク状記録媒体を外部に露出させる開口が形成されたカートリッジ本体、該開口を開閉するシャッタ、およびシャッタの外側に配置された遮光板（シャッタカバー）を備えたカートリッジが知られている（例えば、特許文献３参照）。
【０００４】
特許文献１に記載の発明は、DVD-RAMのカートリッジに類似したカートリッジにホログラム記録媒体を収容している。このカートリッジは、ホログラム記録層に影響を与える波長域の光線の透過率が小さい材質で形成されている。特許文献１には、カ一トリッジの詳しい構成は記載されていないものの、特許文献２に記載されているカートリッジと同様の構成を有しているものと考えられる。
【０００５】
特許文献２に記載の発明は、ホログラム記録層の感応色を遮光する材質でカートリッジを形成し、ホログラム記録媒体を外部に露呈させる可動部分の合せ目には、スポンジ状の遮光材を貼付している。また、記録媒体を回転自在に収容するカートリッジ本体と、このカートリッジ本体に設けられ、記録媒体の一部を外部に露呈させる開口と、この開口を開閉するシャッタとを備えたカートリッジが記載されている。
【０００６】
特許文献３に記載の発明は、カートリッジ本体と、シャッタと、シャッタに固着されたスライド部材と、シャッタの外側に設けられた遮光板とを備え、スライド部材を介してシャッタを開閉するカートリッジについて記載されている。
【０００７】
【特許文献１】特開２００４―０２９４７６号公報
【特許文献２】特開２００３―３１７４２２号公報
【特許文献３】特開２００１―２１６７５４号公報
【発明の開示】
【発明が解決しようとする課題】
【０００８】
ホログラム記録媒体を収容するカートリッジは、カートリッジ本体とシャッタとの間の遮光及び防塵が適切に行なわれないと、光や塵芥がカ一トリッジ内に進入し、ホログラム記録媒体に悪影響を与えてしまう。しかし、特許文献１には、カートリッジ本体とシャッタとの間の遮光及び防塵構造に関する記載がない。
【０００９】
特許文献２および特許文献３に記載のカートリッジは、内側にオフセットされてカートリッジの外面に設けられたシャッタ摺動面にシャッタが取り付けられている。シャッタは、薄板を断面略コの字形に折り曲げて形成したものであるため、コの字形の根元部の機械的強度は強いものの、平板状の先端部（開放端部）の機械的強度が弱く、反りなどが生じて変形するおそれがある。シャッタが僅かでも変形していると、シャッタをカートリッジ本体に取り付けたとき、カートリッジ本体との間に隙間ができ易く、遮光性が阻害されて感光性記録媒体を感光させる可能性があった。
【００１０】
また、特許文献２記載のカートリッジは、遮光板を備えておらず、シャッタが直接外部に露出しているので、シャッタが誤って開放されるなど遮光性が必ずしも十分でないばかりでなく、大きな外力が作用した場合にシャッタ、特に機械的強度が弱い平板状の開放端部が変形するおそれがあり、ホログラム記録媒体が感光して使用できなくなる可能性があった。
【００１１】
特許文献３記載のカートリッジは、シャッタの外側に更に遮光板を配置して遮光性能の向上が図られている。しかし、特許文献３記載のカートリッジは、特許文献１および特許文献２のカートリッジと同様に、幅の狭いシャッタがシャッタ摺動面に案内されながら移動して内部開口を開閉するので、案内部が少なく、シャッタの滑らかな移動が阻害されるおそれがあった。
【００１２】
本発明は、上記事情に鑑みてなされたもので、その目的は、シャッタの開放端部とシャッタ摺動面とによりラビリンス部を形成して遮光性能を大幅に向上させ、且つシャッタが滑らかに移動して内部開口を確実に開閉することができる感光性記録媒体用カートリッジを提供することにある。
【課題を解決するための手段】
【００１３】
本発明の上記目的は、下記感光性記録媒体用カートリッジによって達成される。
（１）感光性記録媒体と、
前記感光性記録媒体を回転自在に収容するディスク収容部と、前記感光性記録媒体の中心と記録面とを外部に露呈させる内部開口と、内側にオフセットされて外面に形成されたシャッタ摺動面と、前記シャッタ摺動面の外方に内側にオフセットされて形成された遮光板取付面と、を有するカートリッジ本体と、
前記内部開口を閉じる閉じ位置と前記内部開口を開放する開き位置との間で移動自在とされ、前記シャッタ摺動面に取り付けられたシャッタと、
前記感光性記録媒体の中心と記録面とを外部に露呈させる外部開口を備え、前記シャッタの外方を覆って前記遮光板取付面に取り付けられた遮光板と、
を備えた感光性記録媒体用カートリッジであって、
前記シャッタが、前記シャッタ摺動面と前記遮光板との間で移動する第１シャッタ及び第２シャッタと、前記第１シャッタ及び前記第２シャッタを連接する連接部とを備え、前記第１シャッタ及び前記第２シャッタにおける前記連接部とは反対側の端部を開放端部とし、
当該感光性記録媒体用カートリッジが、更に、前記シャッタの開放端部と、前記シャッタ摺動面とにより形成されるラビリンス部を備え、前記ラビリンス部が、前記シャッタ摺動面に向けて突出させて、前記シャッタの開閉方向と平行に前記シャッタの前記開放端部に形成された少なくとも１本の突条を有するシャッタ側波型リブと、前記シャッタの前記突条に対応して前記シャッタの開閉方向と平行に前記シャッタ摺動面に形成され、前記突条に摺動自在に嵌合する少なくとも１本の凹溝を有する本体側波型リブと、からなり、前記シャッタの前記開放端部に、前記シャッタを閉じる方向に延設された延設部が形成されていることを特徴とする感光性記録媒体用カートリッジ。
【００１４】
上記構成の感光性記録媒体用カートリッジによれば、シャッタ摺動面に取り付けられたシャッタの開放端部と、シャッタ摺動面とにより形成されるラビリンス部を備えるので、外部からの光をラビリンス部で確実に遮断して感光性記録媒体用カートリッジの遮光性を向上させることができる。
【００１６】
上記構成の感光性記録媒体用カートリッジによれば、ラビリンス部が、シャッタの開閉方向と平行にシャッタの開放端部に形成された少なくとも１本の突条を有するシャッタ側波型リブと、シャッタ摺動面に形成されて突条に摺動自在に嵌合する少なくとも１本の凹溝を有する本体側波型リブと、からなるので、高い遮光性を有するラビリンス部を簡単な構成により得ることができる。また、シャッタが、互いに嵌合する突条と凹溝とによって案内されながら移動するので、滑らかに内部開口を開閉することができる。また、シャッタの開放端部には、突条が形成されているので、機械的強度が大幅に向上し、シャッタの変形が防止される。更に、開放端部の突条は、シャッタ摺動面に向けて突出して形成されているので、シャッタの外面を平面にすることができる。これにより、遮光板とシャッタとを、僅かな隙で近接配置して、更に遮光性を向上させることができる。
【００１８】
上記構成の感光性記録媒体用カートリッジによれば、シャッタの開放端部が、シャッタを閉じる方向に延設された延設部を備えるので、シャッタとシャッタ摺動面との案内部を長くとることができ、これによりシャッタの移動を滑らかにすることができる。
【００１９】
（２）前記延設部のシャッタ閉じ方向の先端部は、前記シャッタが前記内部開口を開放する開き位置にあるとき、前記遮光板とオーバーラップするオーバーラップ部を備えることを特徴とする上記（１）に記載の感光性記録媒体用カートリッジ。
【００２０】
上記構成の感光性記録媒体用カートリッジによれば、シャッタが開き位置にあるとき、延設部のシャッタ閉じ方向の先端部は、遮光板とオーバーラップしているので、シャッタが開状態から閉じる方向に移動する際、延設部の先端部と遮光板との干渉が防止されて確実に閉じることができる。
【００２１】
（３）前記遮光板は、前記感光性記録媒体用カートリッジの挿入方向後方における前記外部開口の開口周縁部が切り欠かれていることを特徴とする上記（１）又は（２）に記載の感光性記録媒体用カートリッジ。
【００２２】
上記構成の感光性記録媒体用カートリッジによれば、遮光板は、感光性記録媒体用カートリッジの挿入方向後方における外部開口の開口周縁部が切り欠かれているので、遮光板を少ない材料から形成することができ、安価に製作することができる。
【発明の効果】
【００２３】
本発明によれば、シャッタの開放端部とシャッタ摺動面とによりラビリンス部を形成して遮光性能を大幅に向上させ、且つシャッタが滑らかに移動して内部開口を開閉することができる感光性記録媒体用カートリッジを提供できる。
【発明を実施するための最良の形態】
【００２４】
以下、本発明に係る感光性記録媒体用カートリッジの実施形態を図面に基づいて詳細に説明する。
図１は本発明の実施形態であるホログラム記録媒体用カートリッジ（以下、カートリッジと省略する）の斜視図、図２はカートリッジの構成を示す分解斜視図、図３はシャッタ閉状態におけるカートリッジの平面図、図４はシャッタ開状態におけるカートリッジの平面図、図５は遮光板を除いて示すシャッタ閉状態におけるカートリッジの平面図、図６は遮光板を除いて示すシャッタ開状態におけるカートリッジの平面図、図７は図３におけるＡ−Ａ矢視断面図、図８は図７における円Ｂで囲まれた部分の拡大断面図、図９は遮光板を除いて示す図８相当部分の斜視図である。
【００２５】
図１および図２に示すように、カートリッジ２は、このカートリッジを取り扱うホログラム記録装置等に対し、矢印Ｄ方向から装填される。カートリッジ２のディスク収容部３内に回転自在に収容される感光性記録媒体（以下、記録ディスクと称する）４は、中心部に穴をあけてディスク状にしたホログラム記録ディスクであり、両面にホログラム記録層が設けられている。
【００２６】
このホログラム記録層には、例えば、緑色５３２ｎｍ〜青色４０５ｎｍの波長域のレーザ光により、データがレーザ光の干渉縞として多層記録される。なお、記録ディスク４の穴部に補強材を付加してもよい。カートリッジ２は、記録ディスク４の両面の記録面に記録を行なうために、Ａ面２ａまたはＢ面２ｂのいずれかを上にしてホログラム記録装置にセットされる。
【００２７】
カートリッジ２は、ディスク収容部３が設けられたカートリッジ本体１１と、カートリッジ本体１１の外側を挟み込むようにして取り付けられる遮光板１２と、カートリッジ本体１１と遮光板１２との間に組み込まれるシャッタ１３とを備えている。遮光板１２の上下面には、開口周縁部１４ａ、１５ａの一部が切り欠かれた略逆Ｕ字形の外部開口１４、１５が形成されている。これらの外部開口１４,１５は、シャッタ１３が閉じ位置にあるときに、第１シャッタ５５ａ,第２シャッタ５５ｂによって閉じられている。
【００２８】
シャッタ１３が矢印Ｅ方向の開き位置に向けて移動すると、外部開口１４,１５とともに、外部開口１４,１５に対面するようにカートリッジ本体１１に設けられている同形状の内部開口１８,１９が開放される。これにより、ディスク収容部３内に収容されている記録ディスク４の中心部４ａと、記録面４ｂとが外部に露呈される。シャッタ１３は、内蔵するシャッタバネによって閉じ位置に付勢されている。
【００２９】
図２に示すように、カートリッジ本体１１は、略板状の第１シェル２５と、この第１シェル２５に接合される第２シェル２６とから構成されている。第１シェル２５と第２シェル２６は、例えば、遮光性物質と滑剤とが添加された同一または類似の熱可塑性プラスチックを用いて、射出成形により形成されている。
【００３０】
第１シェル２５の内面には、記録ディスク４の外径よりも大きな径で形成された突条である第１の遮光壁（図示せず）と、この第１の遮光壁の外側に設けられた第２の遮光壁（図示せず）と、外縁部に形成された突条３２とが設けられている。第１の遮光壁の内側には、記録ディスク４の中心部４ａと記録面４ｂとを外部に露呈させる内部開口１８が設けられている。
【００３１】
第２シェル２６の内面には、記録ディスク４の外径よりも大きな径で形成された突条であり、第１シェル２５の第１の遮光壁と第２の遮光壁との間に挿入される第３の遮光壁３５と、外縁部に形成された突条３６とが設けられている。第３の遮光壁３５の内側には、記録ディスク４の中心部４ａと記録面４ｂとを外部に露呈させる内部開口１９が設けられている。
【００３２】
第２シェル２６の第３の遮光壁３５の内側に記録ディスク４を乗せ、第１シェル２５を第２シェル２６の上面に重ね合わせると、第３の遮光壁３５が第１の遮光壁と第２の遮光壁との間に挿入される。ディスク収容部３は、これらの遮光壁と、第１シェル２５及び第２シェル２６の内面とによって形成される。
【００３３】
ディスク収容部３の側壁は、３枚の遮光壁が入り組んで形成されたラビリンス状の遮光構造となる。そのため、第１シェル２５及び第２シェル２６の合せ目から光や塵芥が入り込んでも、これらがディスク収容部３内にまで進入することはない。
【００３４】
第１シェル２５及び第２シェル２６の外面には、遮光板１２の形状より僅かに大きく、シャッタ１３が閉じる方向に延設されて略Ｌ字形に形成され、且つ遮光板１２の厚み以上の深さで内側にオフセットされた遮光板取付面２５ａ,２６ａが形成されている。また、遮光板取付面２５ａ,２６ａの内側に、シャッタ部材５５の厚み以上の深さで内側にオフセットされ、シャッタ１３が閉じる方向に延設された略Ｌ字形のシャッタ摺動面２５ｂ,２６ｂが形成されている。
【００３５】
第１シェル２５及び第２シェル２６のシャッタ摺動面２５ｂ,２６ｂには、内部開口１８、１９の下方（カートリッジ２の挿入方向後方）にシャッタ１３の移動方向と平行に形成された２本の凹溝２５ｃ、２６ｃからなる本体側波型リブ４１が設けられている。凹溝２５ｃと凹溝２５ｃ、および凹溝２６ｃと凹溝２６ｃの間に形成される突条は、シャッタ摺動面２５ｂ,２６ｂよりも僅かに高くされてシャッタ受け面２５ｄ、２６ｄが形成される。これにより、シャッタ部材５５がシャッタ摺動面２５ｂ,２６ｂに取り付けられたとき、シャッタ部材５５の内面はシャッタ受け面２５ｄ、２６ｄとのみ摺接し、シャッタ部材５５の内面とシャッタ摺動面２５ｂ,２６ｂの間には隙間Ｃが形成される(図８参照)。
【００３６】
遮光板１２の材質には、遮光性、耐食性、装飾性、加工性を得ることができ、かつ軽量で強度のあるものとして、例えばアルミニウム合金が用いられている。なお、遮光板１２はプラスチックで形成してもよいが、遮光性と、シャッタ１３の滑り性とを確保するために、遮光性物質と滑剤とが添加されたプラスチックを用いるとよい。
【００３７】
図１から図４に示すように、遮光板１２は、アルミニウム合金の薄板に外部開口１４,１５と、シャッタ１３の移動範囲を得るための切欠４０とを形成し、断面が略コ字形状となるように屈曲させたものである。外部開口１４、１５は、開口周縁部１４ａ、１５ａの一部(図２において下端)が切り欠かれた略逆Ｕ字形に形成されている。これにより、遮光板１２には、外部開口１４,１５をそれぞれ有する略Ｌ字形の第１の板部１２ａ及び第２の板部１２ｂと、切欠４０を有し第１の板部１２ａと第２の板部１２ｂとを連設させる第３の板部１２ｃとが設けられている。
【００３８】
遮光板１２は、第１の板部１２ａ及び第２の板部１２ｂでカートリッジ本体１１のＡ面２ａ及びＢ面２ｂを挟み込み、かつ第３の板部１２ｃでカートリッジ本体１１の装填方向Ｄの先端を覆うようにして、カートリッジ本体１１の遮光板取付面２５ａ,２６ａに取り付けられる。遮光板取付面２５ａ,２６ａは、遮光板１２の厚み以上の深さで内側にオフセットされているので、カートリッジ本体１１に取り付けられた遮光板１２の外面は、カートリッジ２の表面から突出することはない。
【００３９】
シャッタ１３は、遮光性を有する薄板を略コ字形状となるように屈曲させたシャッタ部材５５と、このシャッタ部材５５に取り付けられる細長い板状のスライド部材５６とからなる。シャッタ部材５５は、遮光板１２と同様の理由により、例えば、アルミニウム合金で形成されている。なお、シャッタ部材５５もプラスチックで形成してよいが、やはり、遮光性と滑り性とを確保するために、遮光性物質と滑剤とが添加されたプラスチックを用いるとよい。スライド部材５６は、遮光性物質と滑剤とが添加されたプラスチックで形成されている。
【００４０】
図２、図５および図６に示すように、シャッタ部材５５は、第１シェル２５の外面と遮光板１２の第１の板部１２ａとの間に挿入される第１シャッタ５５ａと、第２シェル２６の外面と遮光板１２の第２の板部１２ｂとの間に挿入される第２シャッタ５５ｂと、これら第１シャッタ５５ａと第２シャッタ５５ｂとを連設するとともに、スライド部材５６が取り付けられる連設部５５ｃと、を備え、断面略コの字形に形成されている。第１シャッタ５５ａおよび第２シャッタ５５ｂの開放端部５５ｅには、シャッタ１３を閉じる方向に延設された延設部５５ｆが設けられている。延設部５５ｆの長さは、図４に示すように、シャッタ１３が内部開口１８，１９を開く開放位置にあるとき、先端が遮光板１２とオーバーラップするようにオーバーラップ部５５ｇが形成されている。
【００４１】
第１シャッタ５５ａおよび第２シャッタ５５ｂの開放端部５５ｅおよび延設部５５ｆには、第１シェル２５および第２シェル２６の凹溝２５ｃ、２６ｃ（本体側波型リブ４１）に対応して、内側（第１シェル２５および第２シェル２６側）に突出する２本の突条５５ｄからなるシャッタ側波型リブ４２が形成されている。平板状で機械的強度が弱くなり易い開放端部５５ｅおよび延設部５５ｆは、シャッタ側波型リブ４２が形成されることにより、機械的強度が大幅に強化されて変形し難くなる。
【００４２】
シャッタ部材５５がシャッタ摺動面２５ｂ,２６ｂに取り付けられると、突条５５ｄは、凹溝２５ｃ、２６ｃと摺動自在に嵌合して、本体側波型リブ４１とシャッタ側波型リブ４２とによりラビリンス部６０が形成される。これにより、外部からの光、特にシャッタ部材５５の開放端部５５ｅ近傍の光は、ラビリンス部６０により確実に遮光されて内部への進入が防止される。
【００４３】
第１シェル２５および第２シェル２６の外面に形成されたシャッタ摺動面２５ｂ,２６ｂは、シャッタ部材５５の厚み以上の深さで内側にオフセットされているので、シャッタ１３（シャッタ部材５５）はカートリッジ本体１１と遮光板１２との間をスムースに移動することができ、移動による切屑等の発生を抑えることができる。なお、シャッタ摺動面２５ｂ,２６ｂは、入射した光を拡散するために、粗面にしてもよい。同様に遮光板１２の内面、及びシャッタ１３（シャッタ部材５５）の内面及び外面も粗面にしてもよい。
【００４４】
詳細な説明は省略するが、図２に示すように、スライド部材５６は、カートリッジ２の装填方向前面５６ａがカートリッジ本体１１の装填方向先端面から露出されるように、第１シェル２５と第２シェル２６との間にスライド自在に組み込まれる。スライド部材５６の端部には、シャッタ部材５５が固着される。なお、この固着には、接着剤や両面テープ等を用いてもよいし、シャッタ部材５５をプラスチックで形成する場合には、各種溶着を使用してもよい。また、ねじ止めを用いてもよい。
【００４５】
スライド部材５６の前面５６ａのシャッタ閉じ方向の端部には、係合溝５６ｂが設けられている。係合溝５６ｂの奥側には、シャッタ１３を開く際に操作される係止部５６ｃが突出して形成されている。
【００４６】
係止部５６ｃは、シャッタ部材５５に対し、スライド部材５６をシャッタの閉じ方向に伸ばすように設けたことにより、遮光板１２の第３の板部１２ｃに隠れることなく外部に露出されている。遮光板１２の第３の板部１２ｃの切欠４０は、シャッタ１３が開き位置に移動した際に、係止部５６ｃとの干渉を避けるために設けられたものであり、シャッタ１３の移動距離が不足して内部開口１８,１９を開放できない場合に形成することにより移動距離の拡大が図られる。
【００４７】
シャッタ１３は、シャッタバネ５９により付勢されている。シャッタバネ５９は、例えば、捩じりコイルバネからなり、その両端は、スライド部材５６と、第１シェル２５の内面とに係止されている。
【００４８】
このようなカートリッジ２は、第２シェル２６の第３の遮光壁３５の内側に記録ディスク４を乗せて第１シェル２５を第２シェル２６の上面に重ね合わせ、第１シェル２５と第２シェル２６とをねじ止めや超音波溶着などによって固着させる。次いで、図５および図６に示すように、第１シャッタ５５ａと第２シャッタ５５ｂでカートリッジ本体１１のＡ面２ａおよびＢ面２ｂを挟み込み、かつ連設部５５ｃでカートリッジ本体１１の装填方向Ｄの先端を覆うようにしてシャッタ部材５５がシャッタ摺動面２５ｂ,２６ｂに取り付けられる。
【００４９】
このとき、図８、図９に示すように、シャッタ部材５５の突条５５ｄは、シャッタ摺動面２５ｂ,２６ｂに形成された凹溝２５ｃ、２６ｃと摺動自在に嵌合する。換言すれば、本体側波型リブ４１とシャッタ側波型リブ４２とによりラビリンス部６０を形成して外光を遮光する。また、シャッタ部材５５の内面は、シャッタ受け面２５ｄ、２６ｄとのみ摺接するので、シャッタ部材５５と第１シェル２５および第２シェル２６との摺動抵抗が低減する。
【００５０】
更に、シャッタ部材５５の開放端部５５ｅは、シャッタ１３が閉じる方向に延設された延設部５５ｆを備えるので、凹溝２５ｃ、２６ｃと嵌合する開放端部５５ｅの案内長さを長くすることができ、シャッタ１３が滑らかに移動する。また、第１シャッタ５５ａと第２シャッタ５５ｂの開放端部５５ｅは、突条５５ｄにより機械的強度が強化されているので反りなどの変形が生じることはない。
【００５１】
そして更に、遮光板１２が、シャッタ部材５５の外面を覆って遮光板取付面２５ａ,２６ａに取り付けられる。尚、第１シャッタ５５ａと第２シャッタ５５ｂの外表面は平面であるので、遮光板１２と極めて狭い隙間で接近させて配置することができ、遮光性を更に高めることができる。即ち、外側に突出してシャッタ部材に形成された凹溝と、シェルの遮光板取付面に形成された突条とを嵌合させその外側に遮光板を配置した場合は、遮光板とシャッタ部材の間に大きな隙間が形成されて遮光に対して不利となるが、上記構成によれば、隙間が形成されないため、遮光性を確保することができる。
【００５２】
上記に説明したように、本実施形態のカートリッジ２によれば、シャッタ部材５５の開放端側は、遮光板取付面２５ａ,２６ａに形成された本体側波型リブ４１と、シャッタ部材５５の開放端部５５ｅに形成されたシャッタ側波型リブ４２とにより、ラビリンス部６０が形成されて遮光される。また、開放端部５５ｅがシャッタ１３の閉じる方向に延設されて延設部５５ｆが設けられているので、シャッタ部材５５の開放端側が長い距離で案内され、シャッタ１３を滑らかに開閉することができる。
【００５３】
これにより、シャッタ１３の開放端部５５ｅとシャッタ摺動面２５ｂ,２６ｂとによりラビリンス部６０を形成して遮光性能を大幅に向上させ、且つシャッタ１３が滑らかに移動して内部開口１８，１９を開閉することができる感光性記録媒体用カートリッジ２を提供できる。
【００５４】
ラビリンス部の形状は、上記した形状に限定されず、種々のものが考えられる。以下、ラビリンス部の変形例について図１０から図１３を参照して説明する。図１０は第１変形例のラビリンス部の形状を示す要部断面図、図１１は第２変形例のラビリンス部の形状を示す要部断面図、図１２は第３変形例のラビリンス部の形状を示す要部断面図、図１３は第４変形例のラビリンス部の形状を示す要部断面図である。
【００５５】
尚、図１０から図１３においては、カートリッジの片面のみを示すが他方の面も同様に構成されている。また、遮光板取付面に形成された凹溝およびシャッタ部材に形成された突条の形状以外は、図１から図９で既に説明したカートリッジと同様であるので、同一部分には同一符号または相当符号を付して説明を省略または簡略化する。
【００５６】
図１０に示すように、第１変形例のラビリンス部１６１は、シャッタ摺動面２５ｂの形成された２本の矩形凹溝２５ｃと、シャッタ部材５５に形成された２本のＵ字形突条５５ｄと、が互いに嵌合して形成される。シャッタ部材５５は、Ｕ字形突条５５ｄが矩形凹溝２５ｃの底面と摺接して移動し、シャッタ１３が開閉される。即ち、矩形凹溝２５ｃの底面がシャッタ部材５５の受け面となって、シャッタ部材５５を案内すると共に、該接触部で遮光する。
【００５７】
図１１に示すように、第２変形例のラビリンス部１６２は、シャッタ摺動面２５ｂの形成された２本の矩形凹溝２５ｃと、シャッタ部材５５に形成された２本の矩形突条５５ｄと、が互いに嵌合して形成される。２本の矩形凹溝２５ｃの下方には、シャッタ摺動面２５ｂより僅かに外方に突出する受け面２５ｄが形成されて、シャッタ部材５５の内面と摺接する。また、受け面２５ｄの下部には、シャッタ部材５５の下端部５５ｈと受け面２５ｄとの接触を防止する逃げ溝２５ｅが形成されている。これにより、シャッタ部材５５の下端部５５ｈと受け面２５ｄとの接触による削り屑の発生を防止して、削り屑による記録ディスク４への影響をなくすことができる。
【００５８】
図１２に示すように、第３変形例のラビリンス部１６３は、シャッタ摺動面２５ｂの形成された２本のＵ字形凹溝２５ｃと、シャッタ部材５５に形成された２本のＵ字形突条５５ｄと、が互いに嵌合して形成される。２本のＵ字形凹溝２５ｃの間に形成された突条は、シャッタ摺動面２５ｂより僅かに外方へ突出する受け面２５ｄが形成されている。受け面２５ｄは、その中央が凹状とされてシャッタ部材５５との接触面積が少なくされており、摺動抵抗の低減が図られている。
【００５９】
図１３に示すように、第４変形例のラビリンス部１６４は、シャッタ摺動面２５ｂの形成された２本のＶ字形凹溝２５ｃと、シャッタ部材５５に形成された２本のＶ字形突条５５ｄと、が互いに嵌合して形成される。２本のＶ字形凹溝２５ｃの間に形成された突条は、その中央部のみがシャッタ摺動面２５ｂより僅かに外方へ突出して形成され、受け面２５ｄとなっている。これにより、受け面２５ｄとシャッタ部材５５との接触面積が少なくされており、摺動抵抗の低減が図られている。
【００６０】
その他の構成および効果は、図１から図９に示すカートリッジ２と同様であるので、詳細な説明を省略する。
【００６１】
上記の実施形態および各変形例においては、両面に記録が可能な記録ディスクを収容するカートリッジを例に脱明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体を収容するカ一トリッジにも本発明を適用することができる。
【００６２】
シャッタ摺動面に形成された凹溝、およびシャッタ部材に形成された突条の形状、本数は、遮光が可能であれば限定されず、任意の形状、本数とすることがでる。また、シャッタのロック機構を持たないカートリッジを例に脱明したが、ロック機構を配備したカートリッジとすることもでき、この場合には不用意なシャッタの開放による感光性記録媒体の感光が防止できるので更に好ましい。
【００６３】
さらに、上記実施形態では、カートリッジの表裏面の開口が同時に開閉するシャッタ構造を例にあげたが、表面と裏面とが独立して開閉する構造にも適用できる。その場合には、シャッタ部材、スライド部材を表面、裏面にそれぞれ一対に配置し、カートリッジの開口を開閉するように構成すればよい。
【００６４】
上記実施形態において、シャッタ部材は金属によって単部品状態で、かつ、いその開放端部同士がシェルを挟み込む方向に傾斜するように成形されていることが好ましい。こうすれば、シャッタとシェルとの間に隙間が生じることがないため遮光性を確保することができる。また、シャッタが遮光板の内側面に摺接することを抑制できるため、シャッタの開閉動作が安定する。シャッタ部材の開放端部同士がシェルから離れる方向に曲がっている状態（開き勝手）に成形すると、遮光板を金属で形成した場合に、該遮光板の内側面とシャッタとが摺接することでシャッタの開閉動作が鈍くなる。また、開き勝手だと、遮光板が内側からシャッタに押圧され、シェルから離れる方向に力が働くため、遮光板を粘着テープなどでシェルに貼り付けることが困難になり、隙間が生じるおそれがある。
【図面の簡単な説明】
【００６５】
【図１】本発明の実施形態であるホログラム記録媒体用カートリッジ（以下、カートリッジと省略する）の斜視図である。
【図２】カートリッジの構成を示す分解斜視図である。
【図３】シャッタ閉状態におけるカートリッジの平面図である。
【図４】シャッタ開状態におけるカートリッジの平面図である。
【図５】遮光板を除いて示すシャッタ閉状態におけるカートリッジの平面図である。
【図６】遮光板を除いて示すシャッタ開状態におけるカートリッジの平面図である。
【図７】図３におけるＡ−Ａ矢視断面図である。
【図８】図７における円Ｂで囲まれた部分の拡大断面図である。
【図９】遮光板を除いて示す図８相当部分の斜視図である。
【図１０】第１変形例のラビリンス部の形状を示す要部断面図である。
【図１１】第２変形例のラビリンス部の形状を示す要部断面図である。
【図１２】第３変形例のラビリンス部の形状を示す要部断面図である。
【図１３】第４変形例のラビリンス部の形状を示す要部断面図である。
【符号の説明】
【００６６】
２               カートリッジ（感光性記録媒体用カートリッジ）
３               ディスク収容部
４               記録ディスク（感光性記録媒体、ホログラム記録媒体）
１１             カートリッジ本体
１２             遮光板
１３             シャッタ
１４，１５       外部開口
１８，１９       内部開口
２５             第１シェル
２５ａ，２６ａ   遮光板取付面
２５ｂ，２６ｂ   シャッタ摺動面
２５ｃ，２６ｃ   凹溝
２５ｄ，２６ｄ   シャッタ受け面
２６             第２シェル
４１             本体側波型リブ
４２             シャッタ側波型リブ
５５             シャッタ部材
５５ｄ           突条
５５ｅ           開放端部
５５ｆ           延設部
５５ｇ           オーバーラップ部
６０，１６１，１６２，１６３，１６４          ラビリンス部
【図１】
0004711855.tif 000002
【図２】
0004711855.tif 000003
【図３】
0004711855.tif 000004
【図４】
0004711855.tif 000005
【図５】
0004711855.tif 000006
【図６】
0004711855.tif 000007
【図７】
0004711855.tif 000008
【図８】
0004711855.tif 000009
【図９】
0004711855.tif 000010
【図１０】
0004711855.tif 000011
【図１１】
0004711855.tif 000012
【図１２】
0004711855.tif 000013
【図１３】
0004711855.tif 000014